(57)【要約】【課題】  室温で固体であり、より高い温度で液体であるインク組成物を提供する。【解決手段】  非水性の担体の組成物及び二つの相溶性の色素を含み、その色素の一つが蛍光性であり、一つが非蛍光性であり、前記色素が同じタイプのものである。一つの実施形態において、インクにおける色素は、両方ともアントラキノンタイプのものである。【特許請求の範囲】
【請求項１】
非水性の担体の組成物及び二つの相溶性の色素を含み、
その一つが蛍光性であり一つが非蛍光性である、
室温で固体及びより高い温度で液体であるインク組成物において、
前記色素は、同じタイプのものであることを特徴とするインク組成物。
【請求項２】
前記色素は、アントラキノンタイプのものであることを特徴とする請求項１記載のインク組成物。
【請求項３】
前記蛍光性の色素は、ＣＩ  Ｓｏｌｖｅｎｔ  Ｒｅｄ  １４９であり、
前記非蛍光性の色素は、ＣＩ  Ｓｏｌｖｅｎｔ  Ｒｅｄ  １７２であることを特徴とする請求項２記載のインク組成物。
【発明の詳細な説明】
【技術分野】
【０００１】
本発明は、非水性の担体の組成物及び二つの相溶性の色素を含む、その一つが蛍光性の色素であり一つが非蛍光性の、室温で固体及びより高い温度で液体であるインク組成物に関する。
【背景技術】
【０００２】
ホットメルトインクとしてもまた知られている、この種のインク組成物は、特許文献１から知られている。この特許は、担体として脂肪酸アミド化合物、特にテトラアミド化合物を主材料とした組成物を含有するホットメルトインクを記載している。十分な色の彩度を有するインクを得るために、蛍光性の色素及び非蛍光性の色素の組み合わせが使用され、二つの色素は、異なるタイプのものである。色指数（Ｃｏｌｏｒ  ｉｎｄｅｘ；Ｃ．Ｉ．）から、色素が異なるタイプのものであるかどうかを決定することは、単純な事項である。例として、Ｃ．Ｉ．Ｓｏｌｖｅｎｔ  Ｒｅｄ  １７２（アントラキノンタイプの非蛍光性の色素）及びＣ．Ｉ．Ｓｏｌｖｅｎｔ  Ｒｅｄ  ４９（キサンテンタイプの蛍光性のローダミン色素）の組み合わせを含有するインクが記載されている。異なる化学的タイプの色素の使用は、担体の組成物を一つの色素で飽和させるとき、まだ相対的に大量の別の色素を溶解させることができる可能性を提示する。このような方法で、深い力強い色を有するホットメルトインクを得ることは可能である。
【０００３】
既知のホットメルトインクの不都合は、このインクが使用される、印刷されたフルカラーの画像の色の印象が、たとえその上に配置されるインクを備えた、受容する材料が、暗がりで保たれるとしても、変化を受けることである。これは、実際には、色素における色の変化の既知の原因である、ＵＶ放射による色素のどんな攻撃を除外する。
【特許文献１】米国特許第５，５０７，８６４号明細書
【発明の開示】
【発明が解決しようとする課題】
【０００４】
本発明の目的は、上述の不都合を回避するホットメルトインクを提供することである。
【課題を解決するための手段】
【０００５】
このために、色素が同じタイプのものであることを特徴とする、前提部に従うインク組成物が、発明されてきた。この種のインクが、色の変化に対してより良好な耐性を有することが、驚くべきことに見出されてきた。これに対する理由は、完全には明らかではないが、同じタイプの色素が、担体の組成物から分離するあまり著しくない傾向を有するという事実と結びつけて考えてもよい。分離、例えば、凝固したインク組成物における、結晶化されてもよくされなくてもよい色素の分子の集団の形成は、相当な色の変化、特に色の濃さ（クロマ；Ｃｈｒｏｍａ）の喪失を生成する場合もある。分離が可能性のある原因である場合もあるという事実を、以下のように解釈することができる。ホットメルトインクは、しばしば、担体の材料（しばしば非晶質及び結晶質の材料の混合物）、粘度制御剤、酸化防止剤、及び色素の複合の組成物である。前記インクの全ての成分が、全ての状況の下で互いに相溶性であるようなインクを調製することは、困難である。例えば、印刷する間に、ホットメルトインクは、典型的には、１４０℃の温度まで加熱される。印刷した後には、インクは、２０℃の温度まで冷める。また、それが現実に印刷される前に、インクは、しばしば、印刷ヘッドにおいて様々な加熱する及び冷却する循環にさらされる。成分の分離の危険度は、結果として当てはまる。本発明に従うインクにおける色素は、同じ化学的な源を有する、すなわち、同じ基本的な分子から誘導されるので、それらは、自動的に互いに適合し、インクの担体の組成物からの二つの色素の一つの分離は、なおさらありそうもないことになる。
【発明の効果】
【０００６】
加えて、この解決手段は、それが、同じタイプの色素を溶解させる必要があるだけなので、最適な担体の組成物を見出すことがより容易であるという利点を提示する。
【発明を実施するための最良の形態】
【０００７】
一つの実施形態において、色素は、アントラキノンタイプのものである。これが、既知のインクが有する不都合を打ち消す、より良好な方法であることが見出されてきた。この実施形態に従うインクは、暗がりにおける貯蔵の場合に既知のインクと比較したとき、特に色彩堅牢性である。これに対する理由は、アントラキノン色素が、ＵＶ放射に耐性があるという事実に存しない。この特性は、暗がりにおける貯蔵に関して関連性がない。明らかに、例えば、Ｃ．Ｉ．Ｓｏｌｖｅｎｔ  Ｒｅｄ  １４５から１５１までの色素を含む、このタイプの色素、及びＫｉｒｋ−ＯｔｈｍｅｒのＥｎｃｙｃｌｏｐｅｄｉａ  ｏｆ  Ｃｈｅｍｉｃａｌ  Ｔｅｃｈｎｏｌｏｇｙ第４版第８巻の１から５７ページまでに記載されているような色素は、非常に良好な色の安定性を備えたインクを得ることが可能であるような範囲に対して、互いに相溶性である。
【０００８】
さらなる実施形態において、蛍光性の色素は、Ｃ．Ｉ．Ｓｏｌｖｅｎｔ  Ｒｅｄ  １４９であり、非蛍光性の色素は、Ｃ．Ｉ．Ｓｏｌｖｅｎｔ  Ｒｅｄ  １７２である。この実施形態に従う色素の組成物を有するインクが、十分な着色力及び明澄度の非常に鮮明なマゼンタの色を有し、また色が、非常に安定であることが見出された。
【０００９】
今、以下の例を参照して本発明を説明することにする。
【００１０】
例１は、本発明に従うインク組成物である。
【００１１】
例２は、本発明に従う別のインク組成物である。
【００１２】
例３は、担体の組成物における使用のための結合剤をどのようにして作ることができるかを示す。
【実施例１】
【００１３】
本発明に従うホットメルトインクは、トランス−シクロヘキサン−１，４−ジメタノール（１，４−ｓｉｍｅｔｈａｎｏｌ−ｔｒａｎｓ−ｃｙｃｌｏｈｅｘａｎｅ）及び２モル当量のオルト−メチル安息香酸の反応から形成する６５重量％のビスエステルを含有する担体の組成物を主材料とする。Ｃｙｃｌｏ−２Ｔとしてもまた知られている、この化合物は、欧州特許第１０６７１５７号（表２、Ｄの下、化合物１７）から知られている。加えて、担体の組成物は、異なる化合物の混合物である、３５重量％の非晶質の成分を含有する。例３は、この非晶質の成分をどのように得ることができるかを示す。１００ｇの担体の組成物当たりに加えられた色素は、１．１２５ｇのＣＩ  Ｓｏｌｖｅｎｔ  Ｒｅｄ  １７２及び１．１２５ｇのＣＩ  Ｓｏｌｖｅｎｔ  Ｒｅｄ  １４９である。ＣＩ  Ｓｏｌｖｅｎｔ  Ｒｅｄ  １７２は、ＬａｍｂｄａＰｌａｓｔ  Ｒｅｄ  Ｌ２Ｂの商標でＭｅｓｓｒｓ  Ｂｕｃｋｅｙｅから入手可能である。この色素は、Ｍｏｒｐｌｕｓ  Ｍａｇｅｎｔａ  ３６及びＸｉｎｄａｓｏｌ  Ｒｅｄ  １７２としてもまた知られている。ＣＩ  Ｓｏｌｖｅｎｔ  Ｒｅｄ  １４９もまた、ＬａｍｂｄａＰｌａｓｔ  ＦＬ  Ｒｅｄ  ＦＧＡの商標でＭｅｓｓｒｓ  Ｂｕｃｋｅｙｅから入手可能である。この色素もまた、Ｓｕｍｉｐｌａｓｔ  Ｒｅｄ  ＨＦＧ及びＸｉｎｄａｓｏｌ  Ｒｅｄ  １４９の名前で知られている。
【００１４】
この方法で得られたインクは、材料を受容する無地の紙へ転写されると共に暗がりで貯蔵されたとき、実際に色の変化を被らない、きらめくマゼンタの色を有するようである。
【実施例２】
【００１５】
この例に従うインクは、実際には、例１に従うインクと同一である。その差は、ＣＩ  Ｓｏｌｖｅｎｔ  Ｒｅｄ  １４９の色素の代わりに、ＣＩ  Ｓｏｌｖｅｎｔ  Ｒｅｄ  １５０の色素が使用されることである。この色素は、Ｐｌａｓｔ  Ｒｅｄ  ８３６５の名前でＭｅｓｓｒｓ  Ａｒｉｍｏｔｏ  Ｃｈｅｍｉｃａｌ  Ｃｏｒｐｏｒａｔｉｏｎ  Ｌｔｄ．から入手可能である。この色素もまた、Ｓｕｍｉｐｌａｓｔ  Ｒｅｄ  ＨＦ  ４Ｇの名前で知られている。
【００１６】
きらめくマゼンタの色もまた、アントラキノンタイプのこの蛍光性の色素と共に得ることができ、材料を受容する無地の紙へ転写されると共に暗がりで貯蔵されたとき、実際には色の変化を受けない。
【００１７】
例１及び２に従うインクが、単に本発明の実施形態であること、及び、実際における使用のためのインクが、色素及び担体の組成物のみならず、酸化防止剤、粘度制御剤、殺虫剤、顔料などのような全ての種類の添加剤を含有してもよいこともまた明らかであるべきである。
【実施例３】
【００１８】
この例は、ジイソプロパノールアミン、安息香酸、及び無水コハク酸の反応生成物を作るために使用される方法を記載する。一リットルの反応フラスコに、機械攪拌器、温度計、及びＤｅａｎ  Ｓｔａｒｋの配置を供給した。２６１．０６ｇ（１．９６０ｍｏｌ）のジイソプロパノールアミン（タイプＢ、ＢＡＳＦ）、５４０．８８ｇ（４．４２９ｍｏｌ）の安息香酸（Ａｌｄｒｉｃｈ）、及び６９．６９ｇ（０．６９６ｍｏｌ）の無水コハク酸（Ａｌｄｒｉｃｈ）をフラスコ内に置いた。遊離した水を取り除くために、おおよそ６０ｍｌの少量のｏ−キシレンを共留剤として加えた。反応混合物を窒素雰囲気に保ち、１６５℃で１時間加熱し、その後反応温度を１８０℃までもってきた。６時間後、温度を１６０℃まで減少させ、ｏ−キシレンを取り除くために、フラスコを排気した。約１時間後、反応混合物を容器から出すことは可能であった。分析は、数平均分子量（Ｍｎ）が５８３であると共に重量平均分子量（Ｍｗ）が７３３であることを示した。Ｍｗ及びＭｎの間における比（１．２６）は、化合物の混合物が生じてきたという事実を示す。以下（式１）に、我々は、どんな化合物が、ジイソプロパノールアミン、安息香酸、及びコハク酸の間における反応の間に生じ得るかを図式で示す（式１が、結果として生じる化合物の最も有望な構造であることに注意するべきである）。
【００１９】
【化１】
2004331971.tif 000002
その反応は、単分散化合物の形成を示す。式に示すような反応物の比は、ｎに対して選択された値と関連する。この比は、実際にはｎに対して異なる値をもつ化合物の混合物が生じる、全反応に対する比に等しい必要はない。この例に従う反応において、２．８２：６．３６：１（ジイソプロパノールアミン：安息香酸：無水コハク酸）に等しい比を選択してきた。これは、安息香酸及び無水物における６．３６＋２×１．００＝８．３６モル／当量の酸基に対して、アミンにおいて３×２．８２＝８．４６モル当量の反応性のＮＨ／ＯＨ基があることを意味する。従って、非常にわずかな超過（約１％）のジイソプロパノールアミンがある。
【００２０】
ＧＰＣ分析は、混合物が、おおよそ４５重量％のｎ＝０の化合物、おおよそ４０重量％のｎ＝１の化合物、及びおおよそ１５重量％のｎ＝２以上の化合物を含有したことを示した。これは、おおよそ、６０ｍｏｌパーセントのｎ＝０の化合物、３０ｍｏｌパーセントのｎ＝１の化合物、及び１０ｍｏｌパーセントのｎ＝２以上の化合物に対応する。